(57)【要約】      （修正有）【課題】カセットコンロの構造、部品の材質等、大幅な改造をする事無く、又、安全性及び操作性を損ねる事無く、ボンベ内のガス残量を表示するためのメータを装着できるカセットコンロを提供する。【解決手段】土台７に、ガスが接触又は、通過する部品（カセットボンベ１からバーナー６まで）を固着しユニット化する。そして、この土台７を外枠１１にスプリング１０介して弾力的に支持し、カセットボンベ１内のガス残量の変化に対して土台７は、浮き沈みをする構造とする。これにより、鍋等の重量に関係なく、また、ガス漏れの心配もなく、土台７の浮き沈み量からガス残量を想定できる。更に、土台７に針１５、そして、本体枠１１に目盛り盤を装着すれば、より正確にガス残量を検知することが出来る。【選択図】図２
0003187129.tif 000002
【実用新案登録請求の範囲】
【請求項１】
カセットボンベ▲１▼、ボンベ接続金具▲２▼、ガス調整バルブ▲３▼、ガス配管▲４▼、及び、バーナー▲６▼、等のガスが通過、又は、接触する部品、及び、これらの部品と機能上、切離し不可能な部品をＡユニットとする。また、鍋等の料理器具の荷重を直接、又は、間接的に受けるゴトク▲１３▼、受け皿▲１２▼、及び、外枠▲１１▼をＢユニットとすし、Ａユニットから切り離す。
Ａユニットは、振動、又は、外部からの力で、その組合せが変形したり分離しないよう、お互い強固に接続するか、新規に土台▲７▼を設けてＡグループの部品を固定し、一体化する。そして、一体化されたＡユニットを弾性のある部材で弾力的に支持し、ガスボンベ▲１▼内部のガス量の変化によってＡユニットの位置や方向が変化するようにする。そして、この変化量を表示することにより、ボンベ内のガス残量の検地を可能にしたことを特徴とするカセットコンロ。
【請求項２】
Ａユニットは、自在継ぎ手となる支持軸▲９▼で保持される、請求第一項のカセットコンロ。
【請求項３】
Ａユニットの負荷部位に圧電素子を装着し、電子回路によりガス量の検出を行う請求第一項のカセットコンロ。
【考案の詳細な説明】
【技術分野】
【０００１】  この発明は、市販されているカセットコンロの改良に関するものである。
【背景技術】
【０００２】  市販されているカセットコンロは、本体に装着されたガスボンベ内のガス残量を確認する場合には、カセットボンベを一旦、コンロ本体から外し、振った感触で判断するか、ガスボンベ単体を重量計に乗せて計測する方法しか無かった。
【考案の概要】
【考案が解決しようとする課題】
【０００３】  この製品にとってガスの残量を示すメータは、利便性の観点から必要不可欠と考えられているが、現在でも、このメータが装着されたものが無く、使用する上で、まことに不便である。つまり、ボンベ内のガス残量が不明であるため、料理を始める際に、感によるガス量の確認が必要であったし、チェックをしても時々料理中にガス欠を起こし失敗をすることがあった。これを防ぐ方法としては、コンロ枠内部のカセットボンベ下部に重量計を設置する必要がある。そのためには、ボンベは浮動状態にしなければならない。
しかし、携帯ガスコンロは、ガス漏れの発生が大事故に繋がるため、生ガスが接触する機能部品は、全て、確実に本体枠に固定されていなければならない。そのため、常時、連続的にガス残量を計測する手法が見つからなかった。
【課題を解決するための手段】
【０００４】  市販のカセットボンベは、ガスを金属製の缶にガスを充填したものであるから、ガスの充填量を知るためには、カセットボンベの重量を測定する方法が最も現実的手段と考えられる。その手段を実施する場合、ボンベを弾力性のある部材で支持し浮動状態にする。そして、装着されたボンベの下部にボンベの重量を測定するための計量器を設置すればよい。ただし、ボンベを浮動状態に保持するためには、ボンベからバーナー間のガスが通過する、いずれかの部品を柔軟性を持った状態で接続するか、または、柔軟性を持った部品を採用する必要がある。しかし、どちらの方法もガス漏れの危険性が否定出来ないため採用は難しい。そこで着目したのが、従来は、バーナーは固定する必要があると考えられていたが、ガスの減少により多少位置が変化してもコンロの性能には何ら問題もないということに着目した。であるなら、少なくともボンベからバーナーまでのガスが接触又は、通過する部品、全てをひとつのユニットにし、これを浮動状態に保持すれば、ガス漏れの心配をせずに、ボンベは浮遊状態に保持され、ガス量を計測することは容易であることが判った
【考案の効果】
【０００５】  従来のカセットコンロの構造、部品の材質等、大幅な改造をする事無く、又、安全性及び操作性を損ねる事無く、ボンベ内のガス残量を表示するためのメータが装着できるため、商品の利便性を高め、付加価値の増大につながる。
【図面の簡単な説明】
【０００６】
【図１】  カセットコンロの上面図
【図２】  カセットコンロの側面図
【符号の説明】
【０００７】  ▲１▼        カセットボンベ
▲２▼        ボンベ接続金具
▲３▼        ガス調整バルブ
▲４▼        ガス配管
▲５▼        着火装置
▲６▼        バーナー
▲７▼        土台
▲８▼        つまみ軸
▲９▼        支持軸
▲１０▼      スプリング
▲１１▼      外枠
▲１２▼      受け皿
▲１３▼      ゴトク
▲１４▼      目盛り盤
▲１５▼      針
▲１６▼      固定ピン
▲１７▼      炎
【考案を実施するための形態】
【０００８】  市販されているカセットコンロは、主に、カセットボンベ▲１▼、ボンベ接続金具▲２▼、ガス調整バルブ▲３▼、ガス配管▲４▼、着火装置▲５▼、バーナー▲６▼、つまみ軸▲８▼、ゴトク▲１３▼、受皿▲１２▼、及び外枠▲１１▼の部品で構成されている。（図−１、２参照）  その中で、ガスが接触、又は、通過する部品、カセットボンベ▲１▼、ボンベ接続金具▲２▼、ガス調整バルブ▲３▼、ガス配管▲４▼、つまみ軸▲８▼、バーナー▲６▼、及び、これらの部品と機能上、切離し不可能な部品は、新設する土台▲７▼に固定し、一つのユニットとする。そして、鍋等の荷重を受ける外枠▲１１▼、受け皿▲１２▼、及びゴトク▲１３▼から切り離す。
次に、カセットボンベ▲１▼より離して、水平かつ回転自在な支持軸▲９▼を設け、外枠▲１１▼と土台▲７▼を連結する。一方、土台▲７▼と外枠▲１１▼の間にスプリング▲１１▼を設置して土台▲７▼を弾力的に保持する。
このような構造にすると、ガスボンベ▲１▼内のガスの量が減少すればユニットの重量も減少し土台▲７▼を支えるスプリング▲１０▼が伸びてユニットは上昇する。
図−２の側面図に示すように、土台▲７▼の端に針▲１５▼と外枠▲１１▼に目盛り盤▲１４▼を新設すれば、ボンベ内のガス量をより正確に検知することが出来る。
空のボンベの重量は、ほぼ同一なので、空ボンベをセットした時のユニットの高さをマークしておけば、その位置に達したときカッセトボンベ内のガスが使い切ったことになる。
ユニットを弾力的に支持する方法は、色々あるが、この実施例では、ユニットの左方を回転自在な支持軸▲９▼で支えユニットの動きを弧状の動きにしている。ガス調整バルブ▲３▼には、調整つまみ▲８▼が付いているので、これにより、つまみ軸▲８▼の方向が替わらず、同時に、左右の動きを抑えることが出来、つまみ軸▲８▼の操作性の向上が図れる。また、バーナー▲６▼の位地変化を最小に留めるために、支持軸▲９▼はバーナー▲６▼の中心部に接近して位置することが望ましい。
ユニットの弧状の動きは、精度は必要ないので、支持軸▲９▼の替わりに柔軟性のある板バネ等の部材を採用してもよい。
カセットコンロの移動時や、つまみ軸▲８▼によるバルブ▲３▼の操作時は、ユニットは、固定したい。その場合は、外枠▲１１▼に装着された固定ピン▲１６▼を土台▲７▼に差込み、固定することが出来る。
【図１】
0003187129.tif 000003
【図２】
0003187129.tif 000004
【手続補正書】
【提出日】平成25年7月1日(2013.7.1)
【手続補正１】
【補正対象書類名】実用新案登録請求の範囲
【補正対象項目名】請求項１
【補正方法】変更
【補正の内容】
【請求項１】
カセットボンベ、バーナー及び、カセットボンベ内のガスをバーナーに輸送、又は制御するために接続された部品（ボンベ接続金具、ガス調整バルブ、つまみ軸、及び、ガス配管等）を、接続状態を保持したまま外枠から分離し、新規に土台を設けて共通の土台として組付け、ユニット化し、外枠に対してスプリング等により弾力的に保持することにより、カセットボンベ内のガス量の変化に伴って、このユニットが浮き沈みする構造を特徴とするガス残量目視を可能にした構造のカセットコンロ。
【手続補正書】
【提出日】平成25年8月22日(2013.8.22)
【手続補正１】
【補正対象書類名】実用新案登録請求の範囲
【補正対象項目名】全文
【補正方法】変更
【補正の内容】
【実用新案登録請求の範囲】
【請求項１】
カセットボンベ、バーナー及び、カセットボンベ内のガスをバーナーに輸送、又は制御するために接続された部品を、接続状態を保持したまま外枠から分離し、新規に土台を設けて共通の土台として組付け、ユニット化し、外枠に対して弾性部材により弾力的に保持することにより、カセットボンベ内のガス量の変化に伴って、このユニットが浮き沈みする構造を特徴とするガス残量目視を可能にした構造のカセットコンロ。
【請求項２】
ユニットは、自在継ぎ手となる支持軸又は柔軟部材で片方が保持される、請求項１に記載のカセットコンロ。
【請求項３】
ユニットの負荷部位に圧電素子を装着し、電子回路によりガス量の検出を行う請求項１に記載のカセットコンロ。